(57)【要約】【課題】粘着テープの切断時に粘着面を切断するカッター刃の切れ刃部に粘着テープの糊が付着することによる切断不良などの不具合のない粘着テープ切断装置を提供することを目的とするものである。【解決手段】円盤状カッター駆動モータ１０により高速に回転する円盤状カッター８にて粘着テープ１５の粘着面とは反対側の面から接触させ切断することにより、切断時のテープ素材の抵抗による切断方向とは逆の方向にテープ素材が反ることにより糊を巻き込み、円盤状カッター８の刃面に糊が付着することを防止し、糊の付着による切断不良を防止することができる。【選択図】図１
2006346774.tif 000002
【特許請求の範囲】
【請求項１】
外周が刃物になった高速で回転する円盤状のカッター刃を有し、粘着テープの粘着面とは反対の面から上記カッター刃を接触させ粘着テープを切断することを特徴とする粘着テープ切断装置。
【発明の詳細な説明】
【技術分野】
【０００１】
本発明は、アルミ電解コンデンサ等の内部素子を形成する巻取り装置において巻取り済みの素子の外周に貼り付ける粘着テープを切断する粘着テープ切断装置に関するものである。
【背景技術】
【０００２】
従来この種の切断装置としては、たとえば、一対のカッター刃のすり合わせによる切断を行っていた。
【０００３】
なお、この出願に関する先行技術文献情報としては、例えば、特許文献１が知られている。
【特許文献１】特開平１１−１０６１０３号公報
【発明の開示】
【発明が解決しようとする課題】
【０００４】
しかしながら、上記従来の構成では粘着テープの切断時に粘着面を切断するカッター刃の切れ刃部に粘着テープの糊が付着することによる切断不良や、付着した糊がすり合わせのカッター刃の間に入り込むことによるカッターの動作不良が発生するという課題を有していた。
【０００５】
本発明は、前記課題を解決しようとするものであり、粘着テープの糊の付着による不具合のない粘着テープ切断装置を提供することを目的とするものである。
【課題を解決するための手段】
【０００６】
前記目的を達成するために、本発明は以下の構成を有するものである。
【０００７】
本発明の粘着テープ切断装置は、特に、外周が刃物としての形状を有した円盤状のカッター刃を高速で回転させ、粘着テープの粘着面とは反対の面から接触させて切断する。このためテープ素材の巻き込みによりカッターの刃面に粘着テープの糊が付着することを防止できる。
【発明の効果】
【０００８】
以上のように本発明の粘着テープ切断装置は、カッターの刃面に粘着テープの糊が付着することを防止し、糊の付着による切断不良を防止することができるという効果を有する。
【発明を実施するための最良の形態】
【０００９】
以下、実施の形態について、本発明の請求項１に記載の発明について図面を参照しながら説明する。
【００１０】
図１は本発明の粘着テープ切断装置を備えたアルミ電解コンデンサ素子の巻取り装置の構成を示している。巻取りモータ３で駆動される巻取り軸１からなる巻取り部、所定の長さで巻き取られた巻取り素子２（以下巻取り素子２と記載する）を保持する保持ローラ４、粘着テープ巻出しモータ１６で駆動されるリール状で供給される帯状の粘着テープ１５（以下粘着テープ１５と記載する）の掛軸１２，１３からなる巻出し部の間に、張力を負荷するダンサーロール部１４、粘着テープ１５を巻取り部に供給するエアーにて上下に駆動するテーブル７（以下上下テーブル７と記載する）に取り付けられているテープチャック６、その供給された粘着テープ１５の端の粘着面をテープ面から巻取り素子２に押し当てるエアーにて出入りする押えローラ５（以下押えローラ５と記載する）、テープチャック６と巻取り部の間に所定の長さが巻き取られた段階で粘着テープ１５を切断するエアーにて前後に駆動するテーブル１１（以下前後テーブル１１と記載）に取付けられた円盤状カッター駆動モータ１０から駆動ベルト９にて回転駆動される円盤状カッター８により構成された粘着テープ切断装置を備えた巻取り装置である。
【００１１】
図２は、粘着テープ１５切断時の粘着テープ１５と円盤状カッター８の状態を示している。粘着テープ１５に対し高速に回転する円盤状カッター８を粘着面と反対のテープ素材面から接触させ切断するため、切断時のテープ素材の抵抗により切断方向とは逆の方向にテープ素材が反ることによって糊を粘着面側に巻き込み、円盤状カッター８の刃面に粘着テープ１５の糊が付着することを防止している。
【００１２】
続いて、本実施の形態の動作について図１および図２を用いて説明する。巻取りモータ３で駆動される巻取り軸１に巻き取られ、所定の長さが巻き取られた段階の巻取り素子２が押えローラ４により保持される。次に、掛軸１２，１３に取付けられ巻き出された粘着テープ１５は、ダンサーロール部１４で張力を付加され、上下テーブル７に取付けられたテープチャック６に、一定の長さをテープチャック６上面により上に出した状態で保持されている。この時、上下テーブル７は下位置にある。前後テーブル１１に取付けられた円盤状カッター８は、円盤状カッター駆動モータ１０により高速に回転しながら待機している。この時、前後テーブル１１は後ろの位置にある。押えローラ５は退避した状態で待機している。
【００１３】
まず、巻取り部に粘着テープ１５を供給するため、粘着テープ１５を保持したテープチャック６を上下テーブル７にて所定の位置まで上昇させる。この時、テープチャック６上面より上に出ている粘着テープ１５の端面が、巻取りモータ３により駆動される巻取り軸１に取付けられた巻取り素子２の右横に位置するようにする。次に、押えローラ５をエアーにより押し出し粘着テープ１５を巻取り素子２の側面に押し当てる。押えローラ５により粘着テープ１５を巻取り素子２に押し当てたことを確認した後、テープチャック６は粘着テープ１５の保持を開放し上下テーブルにより下位置まで下降する。この状態で巻取り素子２を巻取りモータ３により左回転し巻取り素子２の外周に粘着テープ１５を巻きつけることになる。所定の回数粘着テープ１５を巻取り素子２の外周に巻き付けた後、巻取り素子２の回転を止め、テープチャック６により粘着テープ１５を再び保持する。テープチャック６による粘着テープ１５の保持を確認後、円盤状カッター駆動モータ１０により高速に回転する円盤状カッター８を前後テーブル１１にて前進させ、粘着テープ１５の粘着面とは反対側の面から接触させ切断する。粘着テープ１５を切断後、前後テーブル１１により円盤状カッターは後退する。巻取り素子２はさらに回転させられ、残った粘着テープ１５を巻取り素子２の外周に巻き付ける。その後押えローラ５は後退し、保持ローラ４も解放し巻取り素子２を巻取り軸１より取出す。
【００１４】
このように高速に回転する円盤状カッター８にて粘着テープ１５の粘着面とは反対側の面から接触させ切断することにより、図２に示すように切断時のテープ素材の抵抗により切断方向とは逆の方向にテープ素材が反ることによる糊の巻き込みにより、円盤状カッター８の刃面に粘着テープ１５の糊が付着することを防止し、糊の付着による切断不良を防止し、巻取り素子２を粘着テープ１５により確実に保持形成することができる。
【産業上の利用可能性】
【００１５】
本発明にかかる粘着テープ切断装置は、粘着テープを切断するカッターの刃面に、粘着テープの糊の付着による切断不良を防止し巻取り装置の稼動を向上することができるという効果を有し、アルミ電解コンデンサ等の内部素子を形成する巻取り装置などの用途として有用である。
【図面の簡単な説明】
【００１６】
【図１】本発明の実施の形態における粘着テープ切断装置の構成斜視図
【図２】同粘着テープ切断装置の粘着テープ切断時の粘着テープと円盤状カッターの状態を示す図
【符号の説明】
【００１７】
１  巻取り軸
２  巻取り素子
３  巻取りモータ
４  保持ローラ
５  押えローラ
６  テープチャック
７  上下テーブル
８  円盤状カッター
９  駆動ベルト
１０  円盤状カッター駆動モータ
１１  前後テーブル
１２  掛軸
１３  掛軸
１４  ダンサーロール部
１５  粘着テープ
１６  粘着テープ巻出しモータ
【図１】
2006346774.tif 000003
【図２】
2006346774.tif 000004